(57)【特許請求の範囲】
【請求項１】
壁紙糊付機に糊を供給する壁紙糊付機用糊供給装置において、糊供給装置としてトロコイドポンプを利用し、該ポンプのインナロータ、アウタロータ及びポンプケースの材質が合成樹脂であり、
糊供給用ポンプと糊攪拌機の両機能を備え、糊供給用ポンプと糊攪拌機の動力として一つの駆動源としてモータを使用し、駆動源側における動力伝達のための歯車の位置を可変な構造とし、任意に糊供給用ポンプまたは糊攪拌機の何れかに駆動の伝達を、
モータ軸に固定された歯車と常に噛み合って回転する歯車の軸を支持腕の一端に軸支し、上記支持腕はモーター軸と同心になる位置に支持枠に固定された軸に回転自在に取り付けられて、上記支持腕の端部にある把手を水平に移動することにより、上記支持枠に固定された軸を中心に上記支持枠が回動することによって切替可能である
ことを特徴とする壁紙糊付機用糊供給装置。
【請求項２】
糊供給用ポンプ側に駆動源側の動力伝達のための歯車を位置させた際に、糊供給のための回転方向とは逆方向に回転するように駆動源を作動させることにより、糊供給の吐出口から糊を吸引させることを特徴とする請求項１記載の壁紙糊付機用糊供給装置。
【発明の詳細な説明】
【０００１】
【産業上の利用分野】
壁紙を貼付する際に使用される壁紙糊付機に糊を攪拌して供給する装置を必要とする分野に利用されるものである。
【０００２】
【従来の技術】
壁紙糊付機用の糊供給ポンプとして、糊を供給するだけのものとしては実開昭５９−１５４７３７や実用新案登録第３０３３３９３２号等が知られている。該ポンプの種類についての記載はないが、市場にでている壁紙糊付機用の糊供給ポンプであるベーンポンプが使われていることは実公昭６２−３６４３２にあるようによく知られている。
【０００３】
また、攪拌機能を有する壁紙糊付供給装置についても実開平６−１１８６５に開示されているが、動力として、容器の底に一台のモータが取り付いており、攪拌用、供給用に歯車を介して伝達される。
【０００４】
【発明が解決しようとする課題】
従来技術で説明したように壁紙糊付機用糊供給装置にはベーンポンプがよく使われているが、糊の粘性が高いために壊れることがあった。例えば長年使用していると、粘度の高い糊がポンプ内のベーンの動きを阻害し糊が出なくなったり、ベーンが糊で固着され動かなくなりポンプが破損し、ポンプから糊が漏れる等の故障が起こる等の不具合があった。
【０００５】
一方、比較的粘性のある液状物の送給にはトロコイドポンプが使用される。油圧ポンプはその例である。耐久性はすぐれているが金属製のため耐食性が悪いために、耐食を要求される場合には、インナロータ、アウタロータ及びポンプケース等の主要部品の表面に樹脂コーティングを施して使用していた。このために耐食性は増すが、高価となるきらいがあった。
【０００６】
トロコイドポンプの材料として耐食性に優れる合成樹脂を使用し、糊の粘性に充分耐えうる強度を有するよう製作することにより上記の問題は解決する。
【０００７】
また、トロコイドポンプのインナロータ、アウタロータ及びポンプケースを合成樹脂で製作すると、回転による摩擦熱で合成樹脂が熱膨張し、部材同志が固着する現象があらわれる。この現象を防ぐために、合成樹脂製の各部品の熱膨張量を予測してこれに見合った適当量の隙間を部品間に設けている。
【０００８】
具体的には、アウタロータとポンプケースの接する部分に適当量の隙間を設けている。インナロータとアウタロータは共に糊と接触し、両者の温度条件は等しく熱膨張はほぼ同じであるので熱膨張を考慮した隙間を両者の間に設ける必要はない。
【０００９】
壁紙糊付機への糊供給ポンプのみの用途の場合は、糊を予め水と混合しておき壁紙糊付機に適した粘度に調整しておく必要がある。これに応じて考案されたものが実開平６−１１８６５で図示の糊供給機である。ポンプ内で故障が起きたときは、ポンプから糊が漏れ動力のモータに糊が付着したりして、電器的に短絡を起こし故障することもある。トロコイドポンプは糊の付着は起こりえないのでモータまで故障することはない。
【００１０】
またトロコイドポンプを正回転から逆回転にすると吐出から吸引に変更できるので、壁紙の糊付終了後壁紙糊付機に供給したが残った糊を戻し取りすることができる。この結果、作業後の糊付機の糊箱の洗浄が容易となる。
【００１１】
【課題を解決するための手段】
請求項１に係る発明は壁紙糊付け機に糊を供給する供給装置において、粘度の高い糊を供給するに適した手段としてトロコイドポンプを使用するものであり、その材質を耐久性、耐食性に富んだ合成樹脂にしたものである。
【００１２】
トロコイドポンプは油圧ポンプとして使用されるように、粘性のある液状物の供給装置として適している。被供給物が糊の場合には油と違って水分の多い糊であるため耐食性に富んだ材料をポンプに適用する必要がある。ポンプとしての機能が必要であることは当然である。強度、耐久性、耐食性を満たす材料として合成樹脂を選定した。
【００１３】
さらに、トロコイドポンプが糊の供給動作を続けるうちに生じる温度上昇と、このためにポンプの部材が熱膨張することを考慮し、アウタポンプとポンプケースの間に適当量のクリアランスを設けている。
【００１４】
アウタポンプとインナポンプは糊との接触面積、温度条件がほぼ等しいために熱膨張量がほぼ等しくなるので特に両者の接触部の隙間を大きくする必要はないのである。従って糊の吐出量に影響はない。
【００１５】
また、装置全体を軽量にし、消費エネルギーを少なくするために、糊供給ポンプと糊攪拌機の両機能を備えながら動力としての駆動源を一つにし、駆動源側における動力伝達のための歯車の位置を可変な構造とし、任意に糊供給ポンプまたは糊攪拌機の何れかに駆動の伝達を切替え可能としたものである。
【００１６】
請求項２に係る発明は壁紙糊付機に供給した糊を再び糊供給装置側へ戻すことができるようにしたものである。モータの回転を正回転から逆回転に変更してトロコイドポンプを逆回転させると吐出から吸引に変わり壁紙糊付機に残っている糊を糊供給装置の方へ戻すことができるのである。当然ではあるが再びモータの回転方向を変えて供給装置の糊を糊付機側へ供給することも可能である。
【００１７】
【発明の実施の形態】
本発明の壁紙糊用供給装置の構成について図１により説明する。１は壁紙糊付機用糊供給装置、６は糊Ａの容器、４は攪拌器、３は攪拌及び糊供給用トロコイドポンプの動力モータ、８は糊供給用吐出口管であり、容器６の底部に貫通して取り付けられている。７は機器類のハウジングを兼ねた台、９は支持枠でありモータ３、トロコイドポンプ２等を固定支持している。支持枠９の上部はビスにより台７の天部に固定されている。１８は供給装置本体移動用のキャスタである。
【００１８】
モータ３の動力を攪拌器４またはトロコイドポンプ２に任意に変更して伝達するために、モータ３の軸３１に固定された歯車３２とこの歯車３２と常に噛み合って回転する歯車５がある。歯車５の軸５１は図２平面図に示す略Ｌ字型の支持腕１９の一端に軸支され、支持腕１９はモータの軸３１と同心になる位置に支持枠９に固定された軸３３に回転自在に取り付けられている。歯車５はＬ字の長腕の端にある把手１０を水平に移動することにより軸３３を中心に回動し、攪拌器４の軸４１に取設固定された歯車４３またはトロコイドポンプ２の軸２１に取設された歯車２２と噛み合う機構になっている。
【００１９】
トロコイドポンプ２は図３に示すようにインナロータ２ａとアウタロータ２ｂとポンプケース２ｃと軸２１と糊入り口２ｄと糊出口２ｅから主要部は構成されている。従来の技術の課題で説明しているように、部材は耐食性の高いことを必要とするため先述の主要部の材質は合成樹脂としている。例えばインナロータ２ａとアウタロータ２ｂおよびアウタロータ２ｂの外周面と接する部分のポンプケース２ｃにはポリアセタール樹脂等を採用している。
【００２０】
また、使用中に生じる部材の熱膨張による部材接触部の固着を防止するためにポンプケース２ｃとアウタロータ２ｂ間の隙間を適当量設けて熱による膨張を吸収するようにしている。実施例にあげたトロコイドポンプ２の大きさ（約縦９０ｍｍ＊横９０ｍｍ＊厚み２０ｍｍ）の場合では約０．２〜１．０ｍｍの隙間としている。トロコイドポンプで圧送される液体が壁紙貼付用の澱粉糊の場合は、一般的にこのポンプで使用される油より粘度が高く、潤滑性も悪いのでこのような隙間でもポンプとして充分な性能を発揮できる。
【００２１】
本発明の装置を使って糊Ａを壁紙糊付機５０に供給する動作について説明する。澱粉質の糊粉と水をそれぞれ所定の配分にして容器６に入れ、把手１０をひいて１０’の位置とし、歯車５を図２の５’の位置に移動して攪拌器４の歯車４３と噛み合わせる。モータ３のスイッチ（図示せず）をＯＮにするとモータ３の回転は歯車３２，５’，４３により伝達されて攪拌器４が回転を始める。
【００２２】
容器内の糊Ａが壁紙糊付用として適した状態に攪拌された時点でモータ３を一旦止める。攪拌器４の歯車４３と噛合している歯車５（位置は図２の５）を把手１０を回動させ図２の５の位置に移動してトロコイドポンプ２の歯車２２と噛み合わせる。再びモータ３を始動してトロコイドポンプ２により容器内の糊Ａを入り口２ｄより吸入し出口２ｅとホース５２を通して壁紙糊付機５０の糊箱５３に供給する。
【００２３】
また、モータ３の回転を供給時とは逆方向にすることで、壁紙糊付機５０の糊箱５１に残った糊を糊供給装置１の容器６へ戻すことができるようにしている。これは回転方向指示スイッチ（図示せず）により正から逆または逆から正への回転方向の変更を可能としている。
【００２４】
以上の説明は水と糊粉の攪拌から糊の供給及び吸入までのことであるが、ペースト状の糊の原液に水を加えて容器６に入れて、攪拌機４で攪拌したり、既に壁紙糊付に使用可能な糊Ａになっているものを容器６に入れトロコイドポンプ２により、壁紙糊付機５０に供給することも当然のことながら可能である。同様に吸引だけの使用も可能である。また、攪拌機４で糊Ａを攪拌溶解する作業の場合はモータ３の回転方向は正逆いずれでも可能である。
【００２５】
【発明の効果】
壁紙糊付機用糊供給装置に合成樹脂製のトロコイドポンプを糊供給用として使用することにより従来のベーン式ポンプにみられた糊が固着してポンプが動かなくなったり、腐食したりすることがなくなり耐食性、耐久性がよくなった。  また、動力として１台の小容量のモータと駆動伝達のための歯車の位置の変更によって糊の攪拌と壁紙糊付機への糊の供給及び壁紙糊付機に残った糊の吸引回収も同一装置内で可能となり、より省力化された。装置としての経済的効果もある。
【図面の簡単な説明】
【図１】本発明装置の全体構成を示す縦断面図で攪拌器部（ａ）およびモータとトロコイドポンプ部（ｂ）
【図２】本発明装置の機器部の水平断面図
【図３】実施例のトロコイドポンプの縦断面図（ａ）および平断面図（ｂ）
【図４】本発明の壁紙糊付機用糊供給装置から壁紙糊付機への糊の供給を示す図
【符号の説明】
Ａ  糊
１  壁紙糊付機用糊供給装置
２  トロコイドポンプ、    ２ａ  インナロータ、  ２ｂ  アウタロータ、２ｃ  ポンプケース、  ２ｄ  入口、  ２ｅ  出口
３  モータ
４  攪拌器
５、５’  歯車
６  容器
７  台
８  吐出口管
９  台板
１０  把手
１８  キャスタ
１９  支持腕
２１  軸
２２  歯車
３１  軸
３２  歯車
３３  軸
４１  軸
４３  歯車
５０  壁紙糊付機
５１  軸
５２  ホース
５３  糊箱
【図１】
0004737481.tif 000002
【図２】
0004737481.tif 000003
【図３】
0004737481.tif 000004
【図４】
0004737481.tif 000005